(57)【要約】【課題】鼻緒に当たる足の痛みを大幅に抑制する。【解決手段】鼻緒係止具１０は、台２の底に形成された収納凹部２０の底２０ａに設置され、鼻緒４の端部５が挿通される鼻緒挿通部１３を有するベース部１１と、ベース部１１から鼻緒挿通部１３に臨むように延びると共にベース部１１よりも収納凹部の開口端側に配置され、鼻緒挿通部１３に挿通された鼻緒４の端部５が取付けられる取付部１２とを備えている。そして、取付部１２が弾性を有することにより、取付部１２に取付られた鼻緒４の端部５が台２に対して上下に移動可能になっている。【選択図】図２
2019069046.tif 000002
【特許請求の範囲】
【請求項１】
履物における台の底に形成されると共に該台の上側に連通した収納凹部に収納され、上記台の上から挿入された鼻緒の端部を上記収納凹部内で係止する鼻緒係止具であって、
上記収納凹部の底に設置され、上記鼻緒の端部が挿通される鼻緒挿通部を有するベース部と、
上記ベース部から上記鼻緒挿通部に臨むように延びると共に該ベース部よりも上記収納凹部の開口端側に配置され、上記鼻緒挿通部に挿通された上記鼻緒の端部が取付けられる取付部とを備え、
上記取付部が弾性を有することにより、該取付部に取付られた上記鼻緒の端部が上記台に対して上下に移動可能になっている、鼻緒係止具。
【請求項２】
請求項１に記載の鼻緒係止具において、
上記取付部は、上記ベース部と反対側へ突出した湾曲形状を有している、鼻緒係止具。
【請求項３】
請求項１又は２に記載の鼻緒係止具において、
上記取付部は、基端側が上記ベース部と一体に形成される一方、先端側が上記ベース部から離隔したアーム状に形成されており、
上記ベース部には、上記取付部の先端に対向する領域に溝が形成されている、鼻緒係止具。
【請求項４】
上記請求項１乃至３の何れか１つに記載の鼻緒係止具と、台と、該台に上記鼻緒係止具によって取付られた鼻緒とを備えている、履物。
【発明の詳細な説明】
【技術分野】
【０００１】
本発明は、鼻緒の端部を草履等の履物の台に係止固定するための鼻緒係止具及びそれを備えた履物に関する。
【背景技術】
【０００２】
従来より、鼻緒の端部を草履等の台に係止固定するための鼻緒係止具が知られている。例えば、特許文献１には、草履台の底に形成された収納凹部に収納される鼻緒係止具について、鼻緒の端部を保持するための保持溝が形成されたベース部と、ベース部にヒンジで連結された楔部とを備えたものが開示されている。この鼻緒係止具は、鼻緒の端部としての芯材を楔部に巻き付けた状態で、この楔部を保持溝に嵌め込むことにより、鼻緒の端部を台に係止固定するようになっている。
【０００３】
特許文献２には、草履台の収納凹部に収納される固定金具が鼻緒係止具として記載されている。特許文献２では、鼻緒の端部にループ状の係止紐が設けられており、この紐部材を固定金具に係止させることで鼻緒の端部を台に係止固定するようになっている。
【先行技術文献】
【特許文献】
【０００４】
【特許文献１】実公平４−４４０８３号公報
【特許文献２】登録実用新案第３１０９２６８号公報
【発明の概要】
【発明が解決しようとする課題】
【０００５】
上記特許文献１の鼻緒係止具では、鼻緒の端部を任意の位置において保持溝に固定できるので、台の上での鼻緒の長さを調整することができる。一方、上記特許文献２のものでは、ループ状の係止紐が固定金具から外れ易い構成となっているので、鼻緒を容易に交換することが可能である。
【０００６】
しかし、上記特許文献１，２の鼻緒係止具では、鼻緒の端部を台に係止固定した後は台の上での鼻緒の長さが所定長さに規定されるので、歩き続けると鼻緒が足に強く擦れることで足が痛くなり易いという問題がある。
【０００７】
本発明は、かかる点に鑑みてなされたものであり、その目的とするところは、鼻緒係止具の構成に工夫を凝らすことにより、鼻緒に当たる足の痛みを大幅に抑制することにある。
【課題を解決するための手段】
【０００８】
第１の発明に係る鼻緒係止具は、履物における台の底に形成されると共に該台の上側に連通した収納凹部に収納され、上記台の上から挿入された鼻緒の端部を上記収納凹部内で係止する。鼻緒係止具は、上記収納凹部の底に設置され、上記鼻緒の端部が挿通される鼻緒挿通部を有するベース部と、上記ベース部から上記鼻緒挿通部に臨むように延びると共に該ベース部よりも上記収納凹部の開口端側に配置され、上記鼻緒挿通部に挿通された上記鼻緒の端部が取付けられる取付部とを備えている。そして、上記取付部が弾性を有することにより、該取付部に取付られた上記鼻緒の端部が上記台に対して上下に移動可能になっている。
【０００９】
第２の発明に係る鼻緒係止具は、上記取付部が、上記ベース部と反対側へ突出した湾曲形状を有している。
【００１０】
第３の発明に係る鼻緒係止具は、上記取付部が、基端側が上記ベース部と一体に形成される一方、先端側が上記ベース部から離隔したアーム状に形成されており、上記ベース部には、上記取付部の先端に対向する領域に溝が形成されている。
【発明の効果】
【００１１】
第１の発明によれば、鼻緒の端部は、台の上から収納凹部に挿入され、鼻緒係止具のベース部における鼻緒挿通部を挿通した状態で、鼻緒係止具の取付部に取付られる。この取付部が弾性を有しているので、取付部に取付られた鼻緒の端部は台に対して上下に移動することができる。言い換えれば、台の上における鼻緒の長さを、足の動きに応じて変化させることができるのである。よって、本発明によると、台上の足の動きに追従して鼻緒が上下に移動できるので、鼻緒に当たる足の痛みを大幅に抑制できる。さらに、鼻緒を足に適度にフィットさせた状態で足の動きに追従させることができるので、履物の装着感を高めることができる。
【００１２】
第２の発明によれば、取付部を湾曲形状としたので、その全体の弾性を効率よく利用して鼻緒の端部を好適に上下移動させることができる。
【００１３】
第３の発明によれば、ベース部に溝を設けることにより、その溝深さ分だけ取付部を上側へ移動させ易くすることができると共に、取付部の先端が溝に沿って側方へ移動することで取付部を上側へ移動させ易くすることができる。その結果、鼻緒の端部を上側に移動させ易くなる。
【図面の簡単な説明】
【００１４】
【図１】図１は、草履１の外観を示す斜視図である。
【図２】図２は、本実施形態の鼻緒係止具が装着された台を一部拡大して示す断面図である。
【図３】図３は、本実施形態の鼻緒係止具を示す側面図である。
【図４】図４は、本実施形態の鼻緒係止具を示す底面図である。
【図５】図５は、鼻緒係止具における取付部の動きを説明する側面図である。
【図６】図６は、その他の実施形態における鼻緒係止具を示す側面図である。
【図７】図７は、その他の実施形態における鼻緒係止具を示す底面図である。
【発明を実施するための形態】
【００１５】
以下、本発明の実施形態を図面に基づいて詳細に説明する。尚、本発明は、以下の実施形態に限定されるものではない。
【００１６】
図１は、草履１の外観を示す斜視図である。図２は、本実施形態における鼻緒係止具１０が装着された台２の断面を一部拡大して示している。図３〜図５は、鼻緒係止具１０を示している。本実施形態では、鼻緒係止具１０が取付られる履物として草履１を例に挙げて説明する。また、本実施形態では草履１のつま先側を前側とし、踵側を後側として説明する。
【００１７】
図１に示すように、草履１は、足を乗せる本体部分である台２と、台２に取付られた鼻緒３とを備えている。鼻緒３は前側に設けられた先緒４を有している。鼻緒３の内部には紐からなる芯材５が挿通されている。図２にも示すように、芯材５は、先緒４の先端よりも長く延びている。また、図示を省略するが、芯材５は、鼻緒３の後側部分である後緒６の後端よりも長く延びている。ここで、本実施形態において、鼻緒３の端部とは、先緒４の先端側に延びている芯材５の部分に相当する。また、後述するように、後緒６の後端側に延びている芯材５の部分も鼻緒３の端部に相当する。
【００１８】
台２には、鼻緒３の端部が差し込まれる孔７，８が形成されている。前側の孔７（つまり前壺７）には、先緒４及び芯材５が差し込まれる一方、後側の孔８には、図示を省略するが、後緒６及び芯材５が差し込まれる。以下、本実施形態では特に、前壺７の近傍における鼻緒３の取付構造について説明する。
【００１９】
図２に示すように、台２の前側部分の底には、収納凹部２０が形成されている。収納凹部２０は、前壺７によって台２の上側に連通している。言い換えれば、前壺７の下端は、収納凹部２０における上側の内面である収納凹部２０の底２０ａで開放されている。
なお、台２の裏面には、柔軟性に富む合成樹脂等の底材２１が貼り付けられており、その一部が収納凹部２０を閉塞する舌片２２となっている。
【００２０】
鼻緒係止具１０は、収納凹部２０に収納され、台２の上から挿入された先緒４の芯材５を、この収納凹部２０内で係止するように構成されている。鼻緒係止具１０は、図２〜図４に示すように、ベース部１１と取付部１２とを備えている。
【００２１】
鼻緒係止具１０は、その全体が例えばＡＢＳ、ポリカーボネート又はポリアセタール等の合成樹脂によって形成されている。ベース部１１及び取付部１２は互いに一体に形成されている。なお、鼻緒係止具１０は、合成樹脂以外にも例えば金属材料等によって形成することも可能である。
【００２２】
ベース部１１は、収納凹部２０の底２０ａに設置され、先緒４の芯材５が挿通される鼻緒挿通部１３を有している。ベース部１１は、例えばリング板状に形成されており、その内側の開口部分が鼻緒挿通部１３となっている。
【００２３】
取付部１２は、ベース部１１から鼻緒挿通部１３に臨むように延びている。すなわち、取付部１２は、上下方向に見て、リング状のベース部１１の中心位置を通る直径方向に延びている。取付部１２の一端側（基端側）はベース部１１と一体に形成される一方、取付部１２の他端側（先端側）はベース部１１から離隔している。つまり、取付部１２は、基端側でベース部１１と一体になったアーム状に形成されている。
【００２４】
一方、ベース部１１には、取付部１２の先端に対向する領域に溝１４が形成されている。溝１４は、上下方向から見て取付部１２が延びる方向（図３及び図４で左右方向）に延びており、この方向においてベース部１１の幅全体に延びている。そのことにより、取付部１２の先端が上側へ移動したときに、その取付部１２の先端が溝１４内に嵌まり込むことが可能になっている。
【００２５】
図２に示すように、取付部１２は、収納凹部２０に収納された状態で、ベース部１１よりも収納凹部２０の開口端側（つまり下側）に配置される。そして、取付部１２には、前壺７側から鼻緒挿通部１３に挿通された先緒４の芯材５が結びつけられて取付けられる。
【００２６】
そして、本実施形態の鼻緒係止具１０は、取付部１２が弾性を有することにより、この取付部１２に取付られた先緒４の芯材５が台２に対して上下に移動可能になっている。
【００２７】
また、取付部１２は、ベース部１１と反対側（つまり下側）へ突出した湾曲形状を有している。そのことにより、先緒４の芯材５が取付られた取付部１２において、その弾性を効率よく利用することができる。この点で、取付部１２は、円弧状に形成することが好ましい。
【００２８】
さらに、取付部１２には、先緒４の芯材５を取付るための溝１５が形成されている。溝１５は、取付部１２の略中央位置に配置されており、取付部１２の幅方向（図４で上下方向）の全体に延びている。そのことにより、先緒４の芯材５が溝１５内に巻き掛けられるようになっている。
【００２９】
先緒４を台２に係止固定する場合、まず先緒４及び芯材５を台２の上側から前壺７に挿入する。続いて、芯材５を収納凹部２０内へ引き出した上で、鼻緒係止具１０のベース部１１における鼻緒挿通部１３に芯材５を挿通させる。その後、台２の上における先緒４の長さが所定長さになるように調整して、芯材５を取付部１２の略中央位置に結びつける。このとき、芯材５は溝１５内に嵌まり込んで固定される。そして、ベース部１１を収納凹部２０の底２０ａに設置した状態で、収納凹部２０を舌片２２により閉塞する。
【００３０】
使用者が草履１を履いて歩くとき、鼻緒３は台２に対して上下に動こうとする足を押さえ込む。一般の鼻緒３では、台２の上における先緒４の長さが一定に固定されているので、先緒４が足に強く擦れてしまう結果、足が痛くなり易い。
【００３１】
これに対し、本実施形態の鼻緒係止具１０は、その取付部１２が弾性を有しており上下に弾性変形可能な構成となっている。そのため、この取付部１２に取付られた先緒４及び芯材５は、鼻緒３が台２に取付られた後であっても、台２に対して上下に移動することができる。すなわち、本実施形態の鼻緒係止具１０は、台２の上における先緒４の長さを、足の動きに応じて変化させることができるのである。
【００３２】
このように、本実施形態によると、台２上の足の動きに追従して先緒４を上下に移動させることができるので、先緒４に当たる足の痛みを大幅に抑制することができる。そのことに加え、鼻緒３を足に適度にフィットさせた状態で足の動きに追従させることができるので、草履１の装着感を高めることができる。
【００３３】
ここで、図５を参照して取付部１２の作用について詳しく説明する。図５では、先緒４及び芯材５の図示を省略している。足の動きによって先緒４及び芯材５が引き上げられる場合、まず図５で矢印Ａに示すように、取付部１２は、その基端を中心に弾性変形して上側へ移動する。その後、取付部１２の先端がベース部１１の溝１４内に嵌まり込む。この状態で、さらに先緒４及び芯材５が引き上げられると、図５で矢印Ｂに示すように、取付部１２の先端が溝１４に沿って側方へ移動しつつ、取付部１２の全体が弾性変形して上側に移動することとなる。
【００３４】
このように、ベース部１１に溝１４を設けることにより、その溝深さ分だけ取付部１２を上側（Ａ方向）へ移動させ易くすることができると共に、取付部１２の先端が溝１４に沿って側方（Ｂ方向）へ移動することにより取付部１２を上側（Ａ方向）へ移動させ易くすることができる。その結果、先緒４を上側に移動させ易くなる。
【００３５】
また、本実施形態の鼻緒係止具１０は、その取付部１２を湾曲形状としたので、その全体の弾性を効率よく利用して先緒４を好適に上下移動させることができる。さらに、取付部１２の溝１５に先緒４の芯材５を嵌まり込んだ状態で取付ることができるので、芯材５の取付位置のずれを防止できる。よって、先緒４の芯材５を取付部１２に対して確実に取付固定することができる。
【００３６】
ところで、本発明とは異なる他の鼻緒係止具の例として、例えば、収納凹部２０内に配置されるバネ部品（図示省略）と、このバネ部品の両端に設けられたワッシャ部品（図示省略）と、バネ部品及びワッシャ部品に挿通された先緒４の芯材５を固定する固定部品（図示省略）とを備えた構成が考えられる。この構成によっても、バネ部品が伸縮することにより先緒４を上下移動させることが可能である。
【００３７】
しかし、バネ部品は最も縮んだ状態であってもある程度の厚みを有する一方、他のワッシャ部品及び固定部品は不変で一定の厚みを有するので、この鼻緒係止具は、所定の伸縮量を維持しつつ全体の厚みを小さくすることが難しい。この点について詳述すると、当該他の鼻緒係止具は、複数の部品（固定部品、バネ部品及びワッシャ部品）からなり、その複数の部品のうちの一部の部品（バネ部品）のみが鼻緒係止具全体の伸縮に寄与するだけである。すなわち、当該他の鼻緒係止具は、全体の厚みに対する伸縮率が低い。よって、先緒４の移動量を所定量確保するためには、バネ部品の自然長での厚みを比較的大きくする必要があり、バネ部品以外の部品の厚みを加えた全体の厚みも比較的大きくならざるを得ない。
【００３８】
これに対し、本実施形態の鼻緒係止具１０は、全体が一体に形成された単一の部品からなり、その単一部品自体が弾性変形可能になっているので、上記他の鼻緒係止具に比べて全体の厚みに対する伸縮率がよい。したがって、先緒４の移動量を所定量確保するために必要な鼻緒係止具１０全体の厚みは、上記他の鼻緒係止具よりも小さくてすむ。
【００３９】
そのため、本実施形態では、先緒４の移動量を確保しつつ、鼻緒係止具１０を収納する収納凹部２０の深さ（つまり、台２の底から収納凹部２０の底２０ａまでの深さ）を比較的浅くすることができる。よって、本実施形態の鼻緒係止具１０によれば、台２の厚みが比較的薄い履物であっても、先緒４を十分な量で上下に移動させることができる。そのことに加え、鼻緒係止具１０は単一部品からなるので、複数の部品からなる他の鼻緒係止具に比べて製品コストや組立コストを大幅に低減することができる。
（その他の実施形態）
【００４０】
以上の説明では、鼻緒係止具１０の取付部１２が湾曲形状とした例について説明したが、取付部１２はこれに限らず他の形状であってもよい。例えば、鼻緒係止具１０の側面図である図６に示すように、上記と同様にリング板状のベース部１１の一部から斜め下方に延びて鼻緒挿通部１３に臨むようなアーム形状としてもよい。この場合も取付部１２に溝１５を形成することが望ましい。このようにしても、取付部１２をその基端を中心に弾性変形させて先緒４を上下に移動させることができる。
【００４１】
また、鼻緒係止具１０のベース部１１をリング板状に形成した例について説明したが、これに限らず、他の形状であってもよい。例えば、鼻緒係止具１０の底面図である図７に示すように、ベース部１１をリングの一部が欠けたＣ字状の形状としてもよい。この構成にすると、取付部１２が弾性変形して上側に移動する際に、ベース部１１の一対の端部１１ａも互いに離隔する方向に弾性変形して移動するので、鼻緒係止具１０の全体を弾性変形させ易くすることができる。なお、ベース部１１の剛性を高めるという観点では、ベース部１１をリング状に形成することが好ましい。
【００４２】
また、上記の説明では、取付部１２をその先端がベース部１１から離隔したアーム状である例について説明したが、これに限らず、取付部１２の両端がベース部１１と一体になったアーチ状の形成することも可能である。ただし、取付部１２を弾性変形させ易くする観点では、上述のようなアーム状とすることが望ましい。また、取付部１２アーム状としておけば、芯材５の結び目を解かない状態で、芯材５を取付部１２の先端から着脱することも可能であるため、鼻緒３を交換し易くなる利点もある。
【００４３】
また、上述の実施形態では、先緒４の芯材５を鼻緒係止具１０により係止した例について説明したが、さらに後緒６の芯材５についても鼻緒係止具１０によって係止してもよい。すなわち、図示は省略するが、この場合も同様に、台２の孔８に連通する収納凹部に鼻緒係止具１０を収納し、先緒４の芯材５と同様に後緒６の芯材５を取付部１２に結びつけて固定すればよい。このように、先緒４及び後緒６の各端部をそれぞれ鼻緒係止具１０により台２に係止固定すれば、鼻緒３を足の動きにより追従させることができる。その結果、足の痛みをより抑制し、草履１の装着感をさらに高めることが可能になる。
【００４４】
なお、上記実施形態では、鼻緒係止具１０が取付られる履物として草履１を例に挙げて説明したが、本発明はこれに限らず、例えばサンダルや下駄等の鼻緒を有する他の履物についても同様に適用できる。
【産業上の利用可能性】
【００４５】
以上説明したように、本発明は、鼻緒を草履等の履物の台に係止するための鼻緒係止具及びそれを備えた履物について有用である。
【符号の説明】
【００４６】
１  草履
２  台
３  鼻緒
４  先緒
５  芯材
１０  鼻緒係止具
１１  ベース部
１２  取付部
１３  鼻緒挿通部
１４  溝
２０  収納凹部
２０ａ  収納凹部の底
【図１】
2019069046.tif 000003
【図２】
2019069046.tif 000004
【図３】
2019069046.tif 000005
【図４】
2019069046.tif 000006
【図５】
2019069046.tif 000007
【図６】
2019069046.tif 000008
【図７】
2019069046.tif 000009
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
履物における台の底に形成されると共に該台の上側に連通した収納凹部に収納され、上記台の上から挿入された鼻緒の端部を上記収納凹部内で係止する鼻緒係止具であって、
上記収納凹部の底に設置され、上記鼻緒の端部が挿通される鼻緒挿通部を有するベース部と、
上記ベース部から上記鼻緒挿通部に臨むように延びると共に該ベース部よりも上記収納凹部の開口端側に配置され、上記鼻緒挿通部に挿通された上記鼻緒の端部が取付けられる取付部とを備え、
上記取付部は、基端側が上記ベース部と一体に形成される一方、先端側が上記ベース部から離隔したアーム状に形成されており、
上記取付部が弾性を有することにより、該取付部に取付られた上記鼻緒の端部が上記台に対して上下に移動可能になっている、鼻緒係止具。
【請求項２】
請求項１に記載の鼻緒係止具において、
上記取付部は、上記ベース部と反対側へ突出した湾曲形状を有している、鼻緒係止具。
【請求項３】
請求項１又は２に記載の鼻緒係止具において、
上記ベース部には、上記取付部の先端に対向する領域に溝が形成されている、鼻緒係止具。
【請求項４】
上記請求項１乃至３の何れか１つに記載の鼻緒係止具と、台と、該台に上記鼻緒係止具によって取付られた鼻緒とを備えている、履物。
【手続補正２】
【補正対象書類名】明細書
【補正対象項目名】全文
【補正方法】変更
【補正の内容】
【発明の詳細な説明】
【技術分野】
【０００１】
本発明は、鼻緒の端部を草履等の履物の台に係止固定するための鼻緒係止具及びそれを備えた履物に関する。
【背景技術】
【０００２】
従来より、鼻緒の端部を草履等の台に係止固定するための鼻緒係止具が知られている。例えば、特許文献１には、草履台の底に形成された収納凹部に収納される鼻緒係止具について、鼻緒の端部を保持するための保持溝が形成されたベース部と、ベース部にヒンジで連結された楔部とを備えたものが開示されている。この鼻緒係止具は、鼻緒の端部としての芯材を楔部に巻き付けた状態で、この楔部を保持溝に嵌め込むことにより、鼻緒の端部を台に係止固定するようになっている。
【０００３】
特許文献２には、草履台の収納凹部に収納される固定金具が鼻緒係止具として記載されている。特許文献２では、鼻緒の端部にループ状の係止紐が設けられており、この紐部材を固定金具に係止させることで鼻緒の端部を台に係止固定するようになっている。
【先行技術文献】
【特許文献】
【０００４】
【特許文献１】実公平４−４４０８３号公報
【特許文献２】登録実用新案第３１０９２６８号公報
【発明の概要】
【発明が解決しようとする課題】
【０００５】
上記特許文献１の鼻緒係止具では、鼻緒の端部を任意の位置において保持溝に固定できるので、台の上での鼻緒の長さを調整することができる。一方、上記特許文献２のものでは、ループ状の係止紐が固定金具から外れ易い構成となっているので、鼻緒を容易に交換することが可能である。
【０００６】
しかし、上記特許文献１，２の鼻緒係止具では、鼻緒の端部を台に係止固定した後は台の上での鼻緒の長さが所定長さに規定されるので、歩き続けると鼻緒が足に強く擦れることで足が痛くなり易いという問題がある。
【０００７】
本発明は、かかる点に鑑みてなされたものであり、その目的とするところは、鼻緒係止具の構成に工夫を凝らすことにより、鼻緒に当たる足の痛みを大幅に抑制することにある。
【課題を解決するための手段】
【０００８】
第１の発明に係る鼻緒係止具は、履物における台の底に形成されると共に該台の上側に連通した収納凹部に収納され、上記台の上から挿入された鼻緒の端部を上記収納凹部内で係止する。鼻緒係止具は、上記収納凹部の底に設置され、上記鼻緒の端部が挿通される鼻緒挿通部を有するベース部と、上記ベース部から上記鼻緒挿通部に臨むように延びると共に該ベース部よりも上記収納凹部の開口端側に配置され、上記鼻緒挿通部に挿通された上記鼻緒の端部が取付けられる取付部とを備えている。そして、上記取付部は、基端側が上記ベース部と一体に形成される一方、先端側が上記ベース部から離隔したアーム状に形成されており、上記取付部が弾性を有することにより、該取付部に取付られた上記鼻緒の端部が上記台に対して上下に移動可能になっている。
【０００９】
第２の発明に係る鼻緒係止具は、上記取付部が、上記ベース部と反対側へ突出した湾曲形状を有している。
【００１０】
第３の発明に係る鼻緒係止具は、上記ベース部には、上記取付部の先端に対向する領域に溝が形成されている。
【発明の効果】
【００１１】
第１の発明によれば、鼻緒の端部は、台の上から収納凹部に挿入され、鼻緒係止具のベース部における鼻緒挿通部を挿通した状態で、鼻緒係止具の取付部に取付られる。この取付部が弾性を有しているので、取付部に取付られた鼻緒の端部は台に対して上下に移動することができる。言い換えれば、台の上における鼻緒の長さを、足の動きに応じて変化させることができるのである。よって、本発明によると、台上の足の動きに追従して鼻緒が上下に移動できるので、鼻緒に当たる足の痛みを大幅に抑制できる。さらに、鼻緒を足に適度にフィットさせた状態で足の動きに追従させることができるので、履物の装着感を高めることができる。
【００１２】
第２の発明によれば、取付部を湾曲形状としたので、その全体の弾性を効率よく利用して鼻緒の端部を好適に上下移動させることができる。
【００１３】
第３の発明によれば、ベース部に溝を設けることにより、その溝深さ分だけ取付部を上側へ移動させ易くすることができると共に、取付部の先端が溝に沿って側方へ移動することで取付部を上側へ移動させ易くすることができる。その結果、鼻緒の端部を上側に移動させ易くなる。
【図面の簡単な説明】
【００１４】
【図１】図１は、草履１の外観を示す斜視図である。
【図２】図２は、本実施形態の鼻緒係止具が装着された台を一部拡大して示す断面図である。
【図３】図３は、本実施形態の鼻緒係止具を示す側面図である。
【図４】図４は、本実施形態の鼻緒係止具を示す底面図である。
【図５】図５は、鼻緒係止具における取付部の動きを説明する側面図である。
【図６】図６は、その他の実施形態における鼻緒係止具を示す側面図である。
【図７】図７は、その他の実施形態における鼻緒係止具を示す底面図である。
【発明を実施するための形態】
【００１５】
以下、本発明の実施形態を図面に基づいて詳細に説明する。尚、本発明は、以下の実施形態に限定されるものではない。
【００１６】
図１は、草履１の外観を示す斜視図である。図２は、本実施形態における鼻緒係止具１０が装着された台２の断面を一部拡大して示している。図３〜図５は、鼻緒係止具１０を示している。本実施形態では、鼻緒係止具１０が取付られる履物として草履１を例に挙げて説明する。また、本実施形態では草履１のつま先側を前側とし、踵側を後側として説明する。
【００１７】
図１に示すように、草履１は、足を乗せる本体部分である台２と、台２に取付られた鼻緒３とを備えている。鼻緒３は前側に設けられた先緒４を有している。鼻緒３の内部には紐からなる芯材５が挿通されている。図２にも示すように、芯材５は、先緒４の先端よりも長く延びている。また、図示を省略するが、芯材５は、鼻緒３の後側部分である後緒６の後端よりも長く延びている。ここで、本実施形態において、鼻緒３の端部とは、先緒４の先端側に延びている芯材５の部分に相当する。また、後述するように、後緒６の後端側に延びている芯材５の部分も鼻緒３の端部に相当する。
【００１８】
台２には、鼻緒３の端部が差し込まれる孔７，８が形成されている。前側の孔７（つまり前壺７）には、先緒４及び芯材５が差し込まれる一方、後側の孔８には、図示を省略するが、後緒６及び芯材５が差し込まれる。以下、本実施形態では特に、前壺７の近傍における鼻緒３の取付構造について説明する。
【００１９】
図２に示すように、台２の前側部分の底には、収納凹部２０が形成されている。収納凹部２０は、前壺７によって台２の上側に連通している。言い換えれば、前壺７の下端は、収納凹部２０における上側の内面である収納凹部２０の底２０ａで開放されている。
なお、台２の裏面には、柔軟性に富む合成樹脂等の底材２１が貼り付けられており、その一部が収納凹部２０を閉塞する舌片２２となっている。
【００２０】
鼻緒係止具１０は、収納凹部２０に収納され、台２の上から挿入された先緒４の芯材５を、この収納凹部２０内で係止するように構成されている。鼻緒係止具１０は、図２〜図４に示すように、ベース部１１と取付部１２とを備えている。
【００２１】
鼻緒係止具１０は、その全体が例えばＡＢＳ、ポリカーボネート又はポリアセタール等の合成樹脂によって形成されている。ベース部１１及び取付部１２は互いに一体に形成されている。なお、鼻緒係止具１０は、合成樹脂以外にも例えば金属材料等によって形成することも可能である。
【００２２】
ベース部１１は、収納凹部２０の底２０ａに設置され、先緒４の芯材５が挿通される鼻緒挿通部１３を有している。ベース部１１は、例えばリング板状に形成されており、その内側の開口部分が鼻緒挿通部１３となっている。
【００２３】
取付部１２は、ベース部１１から鼻緒挿通部１３に臨むように延びている。すなわち、取付部１２は、上下方向に見て、リング状のベース部１１の中心位置を通る直径方向に延びている。取付部１２の一端側（基端側）はベース部１１と一体に形成される一方、取付部１２の他端側（先端側）はベース部１１から離隔している。つまり、取付部１２は、基端側でベース部１１と一体になったアーム状に形成されている。
【００２４】
一方、ベース部１１には、取付部１２の先端に対向する領域に溝１４が形成されている。溝１４は、上下方向から見て取付部１２が延びる方向（図３及び図４で左右方向）に延びており、この方向においてベース部１１の幅全体に延びている。そのことにより、取付部１２の先端が上側へ移動したときに、その取付部１２の先端が溝１４内に嵌まり込むことが可能になっている。
【００２５】
図２に示すように、取付部１２は、収納凹部２０に収納された状態で、ベース部１１よりも収納凹部２０の開口端側（つまり下側）に配置される。そして、取付部１２には、前壺７側から鼻緒挿通部１３に挿通された先緒４の芯材５が結びつけられて取付けられる。
【００２６】
そして、本実施形態の鼻緒係止具１０は、取付部１２が弾性を有することにより、この取付部１２に取付られた先緒４の芯材５が台２に対して上下に移動可能になっている。
【００２７】
また、取付部１２は、ベース部１１と反対側（つまり下側）へ突出した湾曲形状を有している。そのことにより、先緒４の芯材５が取付られた取付部１２において、その弾性を効率よく利用することができる。この点で、取付部１２は、円弧状に形成することが好ましい。
【００２８】
さらに、取付部１２には、先緒４の芯材５を取付るための溝１５が形成されている。溝１５は、取付部１２の略中央位置に配置されており、取付部１２の幅方向（図４で上下方向）の全体に延びている。そのことにより、先緒４の芯材５が溝１５内に巻き掛けられるようになっている。
【００２９】
先緒４を台２に係止固定する場合、まず先緒４及び芯材５を台２の上側から前壺７に挿入する。続いて、芯材５を収納凹部２０内へ引き出した上で、鼻緒係止具１０のベース部１１における鼻緒挿通部１３に芯材５を挿通させる。その後、台２の上における先緒４の長さが所定長さになるように調整して、芯材５を取付部１２の略中央位置に結びつける。このとき、芯材５は溝１５内に嵌まり込んで固定される。そして、ベース部１１を収納凹部２０の底２０ａに設置した状態で、収納凹部２０を舌片２２により閉塞する。
【００３０】
使用者が草履１を履いて歩くとき、鼻緒３は台２に対して上下に動こうとする足を押さえ込む。一般の鼻緒３では、台２の上における先緒４の長さが一定に固定されているので、先緒４が足に強く擦れてしまう結果、足が痛くなり易い。
【００３１】
これに対し、本実施形態の鼻緒係止具１０は、その取付部１２が弾性を有しており上下に弾性変形可能な構成となっている。そのため、この取付部１２に取付られた先緒４及び芯材５は、鼻緒３が台２に取付られた後であっても、台２に対して上下に移動することができる。すなわち、本実施形態の鼻緒係止具１０は、台２の上における先緒４の長さを、足の動きに応じて変化させることができるのである。
【００３２】
このように、本実施形態によると、台２上の足の動きに追従して先緒４を上下に移動させることができるので、先緒４に当たる足の痛みを大幅に抑制することができる。そのことに加え、鼻緒３を足に適度にフィットさせた状態で足の動きに追従させることができるので、草履１の装着感を高めることができる。
【００３３】
ここで、図５を参照して取付部１２の作用について詳しく説明する。図５では、先緒４及び芯材５の図示を省略している。足の動きによって先緒４及び芯材５が引き上げられる場合、まず図５で矢印Ａに示すように、取付部１２は、その基端を中心に弾性変形して上側へ移動する。その後、取付部１２の先端がベース部１１の溝１４内に嵌まり込む。この状態で、さらに先緒４及び芯材５が引き上げられると、図５で矢印Ｂに示すように、取付部１２の先端が溝１４に沿って側方へ移動しつつ、取付部１２の全体が弾性変形して上側に移動することとなる。
【００３４】
このように、ベース部１１に溝１４を設けることにより、その溝深さ分だけ取付部１２を上側（Ａ方向）へ移動させ易くすることができると共に、取付部１２の先端が溝１４に沿って側方（Ｂ方向）へ移動することにより取付部１２を上側（Ａ方向）へ移動させ易くすることができる。その結果、先緒４を上側に移動させ易くなる。
【００３５】
また、本実施形態の鼻緒係止具１０は、その取付部１２を湾曲形状としたので、その全体の弾性を効率よく利用して先緒４を好適に上下移動させることができる。さらに、取付部１２の溝１５に先緒４の芯材５を嵌まり込んだ状態で取付ることができるので、芯材５の取付位置のずれを防止できる。よって、先緒４の芯材５を取付部１２に対して確実に取付固定することができる。
【００３６】
ところで、本発明とは異なる他の鼻緒係止具の例として、例えば、収納凹部２０内に配置されるバネ部品（図示省略）と、このバネ部品の両端に設けられたワッシャ部品（図示省略）と、バネ部品及びワッシャ部品に挿通された先緒４の芯材５を固定する固定部品（図示省略）とを備えた構成が考えられる。この構成によっても、バネ部品が伸縮することにより先緒４を上下移動させることが可能である。
【００３７】
しかし、バネ部品は最も縮んだ状態であってもある程度の厚みを有する一方、他のワッシャ部品及び固定部品は不変で一定の厚みを有するので、この鼻緒係止具は、所定の伸縮量を維持しつつ全体の厚みを小さくすることが難しい。この点について詳述すると、当該他の鼻緒係止具は、複数の部品（固定部品、バネ部品及びワッシャ部品）からなり、その複数の部品のうちの一部の部品（バネ部品）のみが鼻緒係止具全体の伸縮に寄与するだけである。すなわち、当該他の鼻緒係止具は、全体の厚みに対する伸縮率が低い。よって、先緒４の移動量を所定量確保するためには、バネ部品の自然長での厚みを比較的大きくする必要があり、バネ部品以外の部品の厚みを加えた全体の厚みも比較的大きくならざるを得ない。
【００３８】
これに対し、本実施形態の鼻緒係止具１０は、全体が一体に形成された単一の部品からなり、その単一部品自体が弾性変形可能になっているので、上記他の鼻緒係止具に比べて全体の厚みに対する伸縮率がよい。したがって、先緒４の移動量を所定量確保するために必要な鼻緒係止具１０全体の厚みは、上記他の鼻緒係止具よりも小さくてすむ。
【００３９】
そのため、本実施形態では、先緒４の移動量を確保しつつ、鼻緒係止具１０を収納する収納凹部２０の深さ（つまり、台２の底から収納凹部２０の底２０ａまでの深さ）を比較的浅くすることができる。よって、本実施形態の鼻緒係止具１０によれば、台２の厚みが比較的薄い履物であっても、先緒４を十分な量で上下に移動させることができる。そのことに加え、鼻緒係止具１０は単一部品からなるので、複数の部品からなる他の鼻緒係止具に比べて製品コストや組立コストを大幅に低減することができる。
（その他の実施形態）
【００４０】
以上の説明では、鼻緒係止具１０の取付部１２が湾曲形状とした例について説明したが、取付部１２はこれに限らず他の形状であってもよい。例えば、鼻緒係止具１０の側面図である図６に示すように、上記と同様にリング板状のベース部１１の一部から斜め下方に延びて鼻緒挿通部１３に臨むようなアーム形状としてもよい。この場合も取付部１２に溝１５を形成することが望ましい。このようにしても、取付部１２をその基端を中心に弾性変形させて先緒４を上下に移動させることができる。
【００４１】
また、鼻緒係止具１０のベース部１１をリング板状に形成した例について説明したが、これに限らず、他の形状であってもよい。例えば、鼻緒係止具１０の底面図である図７に示すように、ベース部１１をリングの一部が欠けたＣ字状の形状としてもよい。この構成にすると、取付部１２が弾性変形して上側に移動する際に、ベース部１１の一対の端部１１ａも互いに離隔する方向に弾性変形して移動するので、鼻緒係止具１０の全体を弾性変形させ易くすることができる。なお、ベース部１１の剛性を高めるという観点では、ベース部１１をリング状に形成することが好ましい。
【００４２】
また、上記の説明では、取付部１２をその先端がベース部１１から離隔したアーム状である例について説明したが、これに限らず、取付部１２の両端がベース部１１と一体になったアーチ状の形成することも可能である。ただし、取付部１２を弾性変形させ易くする観点では、上述のようなアーム状とすることが望ましい。また、取付部１２アーム状としておけば、芯材５の結び目を解かない状態で、芯材５を取付部１２の先端から着脱することも可能であるため、鼻緒３を交換し易くなる利点もある。
【００４３】
また、上述の実施形態では、先緒４の芯材５を鼻緒係止具１０により係止した例について説明したが、さらに後緒６の芯材５についても鼻緒係止具１０によって係止してもよい。すなわち、図示は省略するが、この場合も同様に、台２の孔８に連通する収納凹部に鼻緒係止具１０を収納し、先緒４の芯材５と同様に後緒６の芯材５を取付部１２に結びつけて固定すればよい。このように、先緒４及び後緒６の各端部をそれぞれ鼻緒係止具１０により台２に係止固定すれば、鼻緒３を足の動きにより追従させることができる。その結果、足の痛みをより抑制し、草履１の装着感をさらに高めることが可能になる。
【００４４】
なお、上記実施形態では、鼻緒係止具１０が取付られる履物として草履１を例に挙げて説明したが、本発明はこれに限らず、例えばサンダルや下駄等の鼻緒を有する他の履物についても同様に適用できる。
【産業上の利用可能性】
【００４５】
以上説明したように、本発明は、鼻緒を草履等の履物の台に係止するための鼻緒係止具及びそれを備えた履物について有用である。
【符号の説明】
【００４６】
１  草履
２  台
３  鼻緒
４  先緒
５  芯材
１０  鼻緒係止具
１１  ベース部
１２  取付部
１３  鼻緒挿通部
１４  溝
２０  収納凹部
２０ａ  収納凹部の底
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
履物における台の底に形成されると共に該台の上側に連通した収納凹部に収納され、上記台の上から挿入された鼻緒の端部を上記収納凹部内で係止する鼻緒係止具であって、
上記収納凹部の底に設置され、上記鼻緒の端部が挿通される鼻緒挿通部を有するベース部と、
上記ベース部から上記鼻緒挿通部に臨むように延びると共に該ベース部よりも上記収納凹部の開口端側に配置され、上記鼻緒挿通部に挿通された上記鼻緒の端部が中央に取付けられる取付部とを備え、
上記鼻緒係止具は、上記ベース部と上記取付部とが一体形成により構成された単一の部材からなり、
上記取付部は、基端側が上記ベース部と一体に形成される一方、先端側が上記ベース部から離隔したアーム状に形成されることによって、上記取付部が弾性を有することにより、該取付部に取付られた上記鼻緒の端部が上記台に対して上下に移動可能になっており、
上記ベース部には、上記取付部の先端に対向する領域に溝が形成されており、
上記取付部に取付けられた上記鼻緒の端部が引き上げられて上記取付部の先端が上記ベース部側である上側へ移動したときに、当該取付部の先端は、上記溝内に嵌まり込むと共に、当該溝内に嵌まり込んだ状態で該溝に沿って側方へ移動可能になっている、鼻緒係止具。
【請求項２】
請求項１に記載の鼻緒係止具において、
上記取付部は、上記ベース部と反対側へ突出した湾曲形状を有している、鼻緒係止具。
【請求項３】
上記請求項１又は２に記載の鼻緒係止具と、台と、該台に上記鼻緒係止具によって取付られた鼻緒とを備えている、履物。
【手続補正２】
【補正対象書類名】明細書
【補正対象項目名】全文
【補正方法】変更
【補正の内容】
【発明の詳細な説明】
【技術分野】
【０００１】
本発明は、鼻緒の端部を草履等の履物の台に係止固定するための鼻緒係止具及びそれを備えた履物に関する。
【背景技術】
【０００２】
従来より、鼻緒の端部を草履等の台に係止固定するための鼻緒係止具が知られている。例えば、特許文献１には、草履台の底に形成された収納凹部に収納される鼻緒係止具について、鼻緒の端部を保持するための保持溝が形成されたベース部と、ベース部にヒンジで連結された楔部とを備えたものが開示されている。この鼻緒係止具は、鼻緒の端部としての芯材を楔部に巻き付けた状態で、この楔部を保持溝に嵌め込むことにより、鼻緒の端部を台に係止固定するようになっている。
【０００３】
特許文献２には、草履台の収納凹部に収納される固定金具が鼻緒係止具として記載されている。特許文献２では、鼻緒の端部にループ状の係止紐が設けられており、この紐部材を固定金具に係止させることで鼻緒の端部を台に係止固定するようになっている。
【先行技術文献】
【特許文献】
【０００４】
【特許文献１】実公平４−４４０８３号公報
【特許文献２】登録実用新案第３１０９２６８号公報
【発明の概要】
【発明が解決しようとする課題】
【０００５】
上記特許文献１の鼻緒係止具では、鼻緒の端部を任意の位置において保持溝に固定できるので、台の上での鼻緒の長さを調整することができる。一方、上記特許文献２のものでは、ループ状の係止紐が固定金具から外れ易い構成となっているので、鼻緒を容易に交換することが可能である。
【０００６】
しかし、上記特許文献１，２の鼻緒係止具では、鼻緒の端部を台に係止固定した後は台の上での鼻緒の長さが所定長さに規定されるので、歩き続けると鼻緒が足に強く擦れることで足が痛くなり易いという問題がある。
【０００７】
本発明は、かかる点に鑑みてなされたものであり、その目的とするところは、鼻緒係止具の構成に工夫を凝らすことにより、鼻緒に当たる足の痛みを大幅に抑制することにある。
【課題を解決するための手段】
【０００８】
第１の発明に係る鼻緒係止具は、履物における台の底に形成されると共に該台の上側に連通した収納凹部に収納され、上記台の上から挿入された鼻緒の端部を上記収納凹部内で係止する。鼻緒係止具は、上記収納凹部の底に設置され、上記鼻緒の端部が挿通される鼻緒挿通部を有するベース部と、上記ベース部から上記鼻緒挿通部に臨むように延びると共に該ベース部よりも上記収納凹部の開口端側に配置され、上記鼻緒挿通部に挿通された上記鼻緒の端部が中央に取付けられる取付部とを備えている。上記鼻緒係止具は、上記ベース部と上記取付部とが一体形成により構成された単一の部材からなる。そして、上記取付部は、基端側が上記ベース部と一体に形成される一方、先端側が上記ベース部から離隔したアーム状に形成されることによって、上記取付部が弾性を有することにより、該取付部に取付られた上記鼻緒の端部が上記台に対して上下に移動可能になっている。上記ベース部には、上記取付部の先端に対向する領域に溝が形成されており、上記取付部に取付けられた上記鼻緒の端部が引き上げられて上記取付部の先端が上記ベース部側である上側へ移動したときに、当該取付部の先端は、上記溝内に嵌まり込むと共に、当該溝内に嵌まり込んだ状態で該溝に沿って側方へ移動可能になっている。
【０００９】
第２の発明に係る鼻緒係止具は、上記取付部が、上記ベース部と反対側へ突出した湾曲形状を有している。
【発明の効果】
【００１０】
第１の発明によれば、鼻緒の端部は、台の上から収納凹部に挿入され、鼻緒係止具のベース部における鼻緒挿通部を挿通した状態で、鼻緒係止具の取付部に取付られる。この取付部が弾性を有しているので、取付部に取付られた鼻緒の端部は台に対して上下に移動することができる。言い換えれば、台の上における鼻緒の長さを、足の動きに応じて変化させることができるのである。よって、本発明によると、台上の足の動きに追従して鼻緒が上下に移動できるので、鼻緒に当たる足の痛みを大幅に抑制できる。さらに、鼻緒を足に適度にフィットさせた状態で足の動きに追従させることができるので、履物の装着感を高めることができる。
【００１１】
第２の発明によれば、取付部を湾曲形状としたので、その全体の弾性を効率よく利用して鼻緒の端部を好適に上下移動させることができる。
【図面の簡単な説明】
【００１２】
【図１】図１は、草履１の外観を示す斜視図である。
【図２】図２は、本実施形態の鼻緒係止具が装着された台を一部拡大して示す断面図である。
【図３】図３は、本実施形態の鼻緒係止具を示す側面図である。
【図４】図４は、本実施形態の鼻緒係止具を示す底面図である。
【図５】図５は、鼻緒係止具における取付部の動きを説明する側面図である。
【図６】図６は、その他の実施形態における鼻緒係止具を示す側面図である。
【図７】図７は、その他の実施形態における鼻緒係止具を示す底面図である。
【発明を実施するための形態】
【００１３】
以下、本発明の実施形態を図面に基づいて詳細に説明する。尚、本発明は、以下の実施形態に限定されるものではない。
【００１４】
図１は、草履１の外観を示す斜視図である。図２は、本実施形態における鼻緒係止具１０が装着された台２の断面を一部拡大して示している。図３〜図５は、鼻緒係止具１０を示している。本実施形態では、鼻緒係止具１０が取付られる履物として草履１を例に挙げて説明する。また、本実施形態では草履１のつま先側を前側とし、踵側を後側として説明する。
【００１５】
図１に示すように、草履１は、足を乗せる本体部分である台２と、台２に取付られた鼻緒３とを備えている。鼻緒３は前側に設けられた先緒４を有している。鼻緒３の内部には紐からなる芯材５が挿通されている。図２にも示すように、芯材５は、先緒４の先端よりも長く延びている。また、図示を省略するが、芯材５は、鼻緒３の後側部分である後緒６の後端よりも長く延びている。ここで、本実施形態において、鼻緒３の端部とは、先緒４の先端側に延びている芯材５の部分に相当する。また、後述するように、後緒６の後端側に延びている芯材５の部分も鼻緒３の端部に相当する。
【００１６】
台２には、鼻緒３の端部が差し込まれる孔７，８が形成されている。前側の孔７（つまり前壺７）には、先緒４及び芯材５が差し込まれる一方、後側の孔８には、図示を省略するが、後緒６及び芯材５が差し込まれる。以下、本実施形態では特に、前壺７の近傍における鼻緒３の取付構造について説明する。
【００１７】
図２に示すように、台２の前側部分の底には、収納凹部２０が形成されている。収納凹部２０は、前壺７によって台２の上側に連通している。言い換えれば、前壺７の下端は、収納凹部２０における上側の内面である収納凹部２０の底２０ａで開放されている。
なお、台２の裏面には、柔軟性に富む合成樹脂等の底材２１が貼り付けられており、その一部が収納凹部２０を閉塞する舌片２２となっている。
【００１８】
鼻緒係止具１０は、収納凹部２０に収納され、台２の上から挿入された先緒４の芯材５を、この収納凹部２０内で係止するように構成されている。鼻緒係止具１０は、図２〜図４に示すように、ベース部１１と取付部１２とを備えている。
【００１９】
鼻緒係止具１０は、その全体が例えばＡＢＳ、ポリカーボネート又はポリアセタール等の合成樹脂によって形成されている。ベース部１１及び取付部１２は互いに一体に形成されている。なお、鼻緒係止具１０は、合成樹脂以外にも例えば金属材料等によって形成することも可能である。
【００２０】
ベース部１１は、収納凹部２０の底２０ａに設置され、先緒４の芯材５が挿通される鼻緒挿通部１３を有している。ベース部１１は、例えばリング板状に形成されており、その内側の開口部分が鼻緒挿通部１３となっている。
【００２１】
取付部１２は、ベース部１１から鼻緒挿通部１３に臨むように延びている。すなわち、取付部１２は、上下方向に見て、リング状のベース部１１の中心位置を通る直径方向に延びている。取付部１２の一端側（基端側）はベース部１１と一体に形成される一方、取付部１２の他端側（先端側）はベース部１１から離隔している。つまり、取付部１２は、基端側でベース部１１と一体になったアーム状に形成されている。
【００２２】
一方、ベース部１１には、取付部１２の先端に対向する領域に溝１４が形成されている。溝１４は、上下方向から見て取付部１２が延びる方向（図３及び図４で左右方向）に延びており、この方向においてベース部１１の幅全体に延びている。そのことにより、取付部１２の先端が上側へ移動したときに、その取付部１２の先端が溝１４内に嵌まり込むことが可能になっている。
【００２３】
図２に示すように、取付部１２は、収納凹部２０に収納された状態で、ベース部１１よりも収納凹部２０の開口端側（つまり下側）に配置される。そして、取付部１２には、前壺７側から鼻緒挿通部１３に挿通された先緒４の芯材５が結びつけられて取付けられる。
【００２４】
そして、本実施形態の鼻緒係止具１０は、取付部１２が弾性を有することにより、この取付部１２に取付られた先緒４の芯材５が台２に対して上下に移動可能になっている。
【００２５】
また、取付部１２は、ベース部１１と反対側（つまり下側）へ突出した湾曲形状を有している。そのことにより、先緒４の芯材５が取付られた取付部１２において、その弾性を効率よく利用することができる。この点で、取付部１２は、円弧状に形成することが好ましい。
【００２６】
さらに、取付部１２には、先緒４の芯材５を取付るための溝１５が形成されている。溝１５は、取付部１２の略中央位置に配置されており、取付部１２の幅方向（図４で上下方向）の全体に延びている。そのことにより、先緒４の芯材５が溝１５内に巻き掛けられるようになっている。
【００２７】
先緒４を台２に係止固定する場合、まず先緒４及び芯材５を台２の上側から前壺７に挿入する。続いて、芯材５を収納凹部２０内へ引き出した上で、鼻緒係止具１０のベース部１１における鼻緒挿通部１３に芯材５を挿通させる。その後、台２の上における先緒４の長さが所定長さになるように調整して、芯材５を取付部１２の略中央位置に結びつける。このとき、芯材５は溝１５内に嵌まり込んで固定される。そして、ベース部１１を収納凹部２０の底２０ａに設置した状態で、収納凹部２０を舌片２２により閉塞する。
【００２８】
使用者が草履１を履いて歩くとき、鼻緒３は台２に対して上下に動こうとする足を押さえ込む。一般の鼻緒３では、台２の上における先緒４の長さが一定に固定されているので、先緒４が足に強く擦れてしまう結果、足が痛くなり易い。
【００２９】
これに対し、本実施形態の鼻緒係止具１０は、その取付部１２が弾性を有しており上下に弾性変形可能な構成となっている。そのため、この取付部１２に取付られた先緒４及び芯材５は、鼻緒３が台２に取付られた後であっても、台２に対して上下に移動することができる。すなわち、本実施形態の鼻緒係止具１０は、台２の上における先緒４の長さを、足の動きに応じて変化させることができるのである。
【００３０】
このように、本実施形態によると、台２上の足の動きに追従して先緒４を上下に移動させることができるので、先緒４に当たる足の痛みを大幅に抑制することができる。そのことに加え、鼻緒３を足に適度にフィットさせた状態で足の動きに追従させることができるので、草履１の装着感を高めることができる。
【００３１】
ここで、図５を参照して取付部１２の作用について詳しく説明する。図５では、先緒４及び芯材５の図示を省略している。足の動きによって先緒４及び芯材５が引き上げられる場合、まず図５で矢印Ａに示すように、取付部１２は、その基端を中心に弾性変形して上側へ移動する。その後、取付部１２の先端がベース部１１の溝１４内に嵌まり込む。この状態で、さらに先緒４及び芯材５が引き上げられると、図５で矢印Ｂに示すように、取付部１２の先端が溝１４に沿って側方へ移動しつつ、取付部１２の全体が弾性変形して上側に移動することとなる。
【００３２】
このように、ベース部１１に溝１４を設けることにより、その溝深さ分だけ取付部１２を上側（Ａ方向）へ移動させ易くすることができると共に、取付部１２の先端が溝１４に沿って側方（Ｂ方向）へ移動することにより取付部１２を上側（Ａ方向）へ移動させ易くすることができる。その結果、先緒４を上側に移動させ易くなる。
【００３３】
また、本実施形態の鼻緒係止具１０は、その取付部１２を湾曲形状としたので、その全体の弾性を効率よく利用して先緒４を好適に上下移動させることができる。さらに、取付部１２の溝１５に先緒４の芯材５を嵌まり込んだ状態で取付ることができるので、芯材５の取付位置のずれを防止できる。よって、先緒４の芯材５を取付部１２に対して確実に取付固定することができる。
【００３４】
ところで、本発明とは異なる他の鼻緒係止具の例として、例えば、収納凹部２０内に配置されるバネ部品（図示省略）と、このバネ部品の両端に設けられたワッシャ部品（図示省略）と、バネ部品及びワッシャ部品に挿通された先緒４の芯材５を固定する固定部品（図示省略）とを備えた構成が考えられる。この構成によっても、バネ部品が伸縮することにより先緒４を上下移動させることが可能である。
【００３５】
しかし、バネ部品は最も縮んだ状態であってもある程度の厚みを有する一方、他のワッシャ部品及び固定部品は不変で一定の厚みを有するので、この鼻緒係止具は、所定の伸縮量を維持しつつ全体の厚みを小さくすることが難しい。この点について詳述すると、当該他の鼻緒係止具は、複数の部品（固定部品、バネ部品及びワッシャ部品）からなり、その複数の部品のうちの一部の部品（バネ部品）のみが鼻緒係止具全体の伸縮に寄与するだけである。すなわち、当該他の鼻緒係止具は、全体の厚みに対する伸縮率が低い。よって、先緒４の移動量を所定量確保するためには、バネ部品の自然長での厚みを比較的大きくする必要があり、バネ部品以外の部品の厚みを加えた全体の厚みも比較的大きくならざるを得ない。
【００３６】
これに対し、本実施形態の鼻緒係止具１０は、全体が一体に形成された単一の部品からなり、その単一部品自体が弾性変形可能になっているので、上記他の鼻緒係止具に比べて全体の厚みに対する伸縮率がよい。したがって、先緒４の移動量を所定量確保するために必要な鼻緒係止具１０全体の厚みは、上記他の鼻緒係止具よりも小さくてすむ。
【００３７】
そのため、本実施形態では、先緒４の移動量を確保しつつ、鼻緒係止具１０を収納する収納凹部２０の深さ（つまり、台２の底から収納凹部２０の底２０ａまでの深さ）を比較的浅くすることができる。よって、本実施形態の鼻緒係止具１０によれば、台２の厚みが比較的薄い履物であっても、先緒４を十分な量で上下に移動させることができる。そのことに加え、鼻緒係止具１０は単一部品からなるので、複数の部品からなる他の鼻緒係止具に比べて製品コストや組立コストを大幅に低減することができる。
（その他の実施形態）
【００３８】
以上の説明では、鼻緒係止具１０の取付部１２が湾曲形状とした例について説明したが、取付部１２はこれに限らず他の形状であってもよい。例えば、鼻緒係止具１０の側面図である図６に示すように、上記と同様にリング板状のベース部１１の一部から斜め下方に延びて鼻緒挿通部１３に臨むようなアーム形状としてもよい。この場合も取付部１２に溝１５を形成することが望ましい。このようにしても、取付部１２をその基端を中心に弾性変形させて先緒４を上下に移動させることができる。
【００３９】
また、鼻緒係止具１０のベース部１１をリング板状に形成した例について説明したが、これに限らず、他の形状であってもよい。例えば、鼻緒係止具１０の底面図である図７に示すように、ベース部１１をリングの一部が欠けたＣ字状の形状としてもよい。この構成にすると、取付部１２が弾性変形して上側に移動する際に、ベース部１１の一対の端部１１ａも互いに離隔する方向に弾性変形して移動するので、鼻緒係止具１０の全体を弾性変形させ易くすることができる。なお、ベース部１１の剛性を高めるという観点では、ベース部１１をリング状に形成することが好ましい。
【００４０】
また、上記の説明では、取付部１２をその先端がベース部１１から離隔したアーム状である例について説明したが、これに限らず、取付部１２の両端がベース部１１と一体になったアーチ状の形成することも可能である。ただし、取付部１２を弾性変形させ易くする観点では、上述のようなアーム状とすることが望ましい。また、取付部１２アーム状としておけば、芯材５の結び目を解かない状態で、芯材５を取付部１２の先端から着脱することも可能であるため、鼻緒３を交換し易くなる利点もある。
【００４１】
また、上述の実施形態では、先緒４の芯材５を鼻緒係止具１０により係止した例について説明したが、さらに後緒６の芯材５についても鼻緒係止具１０によって係止してもよい。すなわち、図示は省略するが、この場合も同様に、台２の孔８に連通する収納凹部に鼻緒係止具１０を収納し、先緒４の芯材５と同様に後緒６の芯材５を取付部１２に結びつけて固定すればよい。このように、先緒４及び後緒６の各端部をそれぞれ鼻緒係止具１０により台２に係止固定すれば、鼻緒３を足の動きにより追従させることができる。その結果、足の痛みをより抑制し、草履１の装着感をさらに高めることが可能になる。
【００４２】
なお、上記実施形態では、鼻緒係止具１０が取付られる履物として草履１を例に挙げて説明したが、本発明はこれに限らず、例えばサンダルや下駄等の鼻緒を有する他の履物についても同様に適用できる。
【産業上の利用可能性】
【００４３】
以上説明したように、本発明は、鼻緒を草履等の履物の台に係止するための鼻緒係止具及びそれを備えた履物について有用である。
【符号の説明】
【００４４】
１  草履
２  台
３  鼻緒
４  先緒
５  芯材
１０  鼻緒係止具
１１  ベース部
１２  取付部
１３  鼻緒挿通部
１４  溝
２０  収納凹部
２０ａ  収納凹部の底